(57)【要約】【課題】電気機器の絶縁部表面の結露状態を安全に且つ正確に検出する。【解決手段】結露状態の検出対象である変圧器２の絶縁部表面２ａの温度を非接触で検出する赤外線温度センサ３が設けられると共に、変圧器２と同一の環境下に模擬結露検出部４が配置され、赤外線温度センサ３により検出された変圧器２の絶縁部表面２ａの温度と温度センサ８により検出された模擬結露検出部４の検出面４ａの温度とが同一となるようにペルチェ素子６の模擬結露検出部４の検出面４ａに対する放熱及び吸熱が調節される。変圧器２の絶縁部表面２ａの結露状態を模擬結露検出部４の検出面４ａで再現できる。【選択図】図１
2011041437.tif 000002
【特許請求の範囲】
【請求項１】
結露状態の検出対象である電気機器の絶縁部表面の温度を非接触で検出して検出結果を出力する非接触温度検出手段と、
前記電気機器と同一の環境下に配置された模擬結露検出部の検出面に対する放熱及び吸熱を選択的に行う放熱吸熱手段と、
前記模擬結露検出部の前記検出面の温度を検出して検出結果を出力する温度検出手段と、
前記非接触温度検出手段から出力された検出結果と前記温度検出手段から出力された検出結果とを入力する温度調節制御手段と、
前記模擬結露検出部の前記検出面の結露状態を検出して検出結果をシステムの外部に出力する結露状態検出手段と、を備え、
前記温度調節制御手段は、前記非接触温度検出手段から入力した検出結果と前記温度検出手段から入力した検出結果とに基づいて、前記非接触温度検出手段により検出された前記電気機器の前記絶縁部表面の温度と前記温度検出手段により検出された前記模擬結露検出部の前記検出面の温度とが同一となるように前記放熱吸熱手段の前記模擬結露検出部の前記検出面に対する放熱及び吸熱を調節することを特徴とする結露状態検出システム。
【請求項２】
前記模擬結露検出部の前記検出面の湿度を検出して検出結果をシステムの外部に出力する湿度検出手段、を備えたことを特徴とする請求項１に記載の結露状態検出システム。
【請求項３】
前記温度検出手段は、前記模擬結露検出部の前記検出面の温度を検出した検出結果をシステムの外部にも出力することを特徴とする請求項１又は２に記載の結露状態検出システム。
【請求項４】
前記電気機器の前記絶縁部表面に対する放熱を行うことで当該絶縁部表面に発生した結露を解消させる結露解消手段と、
前記結露状態検出手段から出力された検出結果を入力し、その入力した検出結果に基づいて前記結露解消手段の動作を制御する結露解消制御手段と、を備え、
前記結露解消制御手段は、前記結露状態検出手段から入力した検出結果に基づいて、前記模擬結露検出部の検出面に結露が発生したと判定した場合には、前記結露解消手段を起動させ、前記結露解消手段を起動させたことで前記模擬結露検出部に発生した結露が解消したと判定した場合には、前記結露解消手段を停止させることを特徴とする請求項１に記載の結露状態検出システム。
【請求項５】
前記模擬結露検出部の前記検出面の湿度を検出して検出結果を出力する湿度検出手段と、
前記電気機器の前記絶縁部表面に対する放熱を行うことで当該絶縁部表面での結露の発生を防止する結露防止手段と、
前記結露状態検出手段から出力された検出結果と前記湿度検出手段から出力された検出結果とを入力し、それら入力した検出結果に基づいて前記結露防止手段の動作を制御する結露防止制御手段と、を備え、
前記結露防止制御手段は、前記結露状態検出手段から入力した検出結果と前記湿度検出手段から入力した検出結果とに基づいて、前記模擬結露検出部の検出面に結露が発生したと判定した場合には、その時点で前記湿度検出手段により検出された湿度が結露発生湿度未満であれば、その時点で前記湿度検出手段により検出された湿度を新たな結露発生湿度として更新すると共に前記結露防止手段を起動させ、その時点で前記湿度検出手段により検出された湿度が結露発生湿度未満でなければ、結露発生湿度を更新することなく前記結露防止手段を起動させ、前記模擬結露検出部の検出面に結露が発生していないと判定した場合には、その時点で前記湿度検出手段により検出された湿度が結露発生湿度以上であれば、前記結露防止手段を起動させ、その時点で前記湿度検出手段により検出された湿度が結露発生湿度未満であれば、前記結露防止手段を停止させることを特徴とする請求項１に記載の結露状態検出システム。
【発明の詳細な説明】
【技術分野】
【０００１】
本発明は、変圧器や電動機等の電気機器の結露状態を検出するシステムに関する。
【背景技術】
【０００２】
一般に、変圧器や電動機等の電気機器は多様な環境下に設置されて運転されている。これら電気機器の巻線等の導体の絶縁部では当該電気機器の温度上昇や周囲環境により絶縁抵抗が低下し、漏電や焼損等の事故が発生する危険性がある。特に絶縁部表面（絶縁面）に結露が発生した場合には絶縁事故が発生する虞がある等の危険度が高くなる。そこで、これら電気機器における結露の発生を防ぐために、電気機器の絶縁部表面に結露が発生する状況においては、例えば特許文献１に示すようなシステムが提案されている。
【０００３】
特許文献１で提案されている技術では、電気機器の周囲温度を温度計により検出すると共に、電気機器の周囲湿度に対応する露点を露点計により検出し、温度計により検出された電気機器の周囲温度と露点計により検出された露点との差が設定値以下になった場合に、電気機器の内部に設けたスペースヒータを作動させるものである。
【先行技術文献】
【特許文献】
【０００４】
【特許文献１】実開平６−２９０４号公報
【発明の概要】
【発明が解決しようとする課題】
【０００５】
電気機器の絶縁部表面の温度は当該電気機器の運転状況等により周囲温度とは異なることがある。そのため、電気機器の周囲温度を温度計により検出する特許文献１で提案されている技術では、電気機器の絶縁部表面の温度を正確に検出することが困難であり、結露状態を正確に検出することが困難である。電気機器の絶縁部表面の温度を正確に検出するには、検出箇所である電気機器の絶縁部表面に温度計を直接配置することが考えられるが、変圧器や電動機等のような電気機器では絶縁部表面に高い電界が印加されているのが一般的であり、これら温度計を破壊することなく設置することは困難である。
【０００６】
又、露点計や湿度計により結露状態を検出する方法では、清浄な環境下において結露が発生する動作点を検出することが前提となっている。しかしながら、周囲環境が著しく汚損された状態、特に海塩粒子や塩化物等の潮解性が著しい物質を含んだ汚損物質が絶縁部表面に付着した状態では、通常結露が発生すると言われる相対湿度が１００［％］以下であっても結露が発生するとされており、露点以上の温度であっても結露が発生することがある。
【０００７】
本発明は、上記した事情に鑑みてなされたものであり、その目的は、電気機器の絶縁部表面の結露状態を安全に且つ正確に検出することができる結露状態検出システムを提供することにある。
【課題を解決するための手段】
【０００８】
上記した目的を達成するために、請求項１に記載した結露状態検出システムは、
結露状態の検出対象である電気機器の絶縁部表面の温度を非接触で検出して検出結果を出力する非接触温度検出手段と、
前記電気機器と同一の環境下に配置された模擬結露検出部の検出面に対する放熱及び吸熱を選択的に行う放熱吸熱手段と、
前記模擬結露検出部の前記検出面の温度を検出して検出結果を出力する温度検出手段と、
前記非接触温度検出手段から出力された検出結果と前記温度検出手段から出力された検出結果とを入力する温度調節制御手段と、
前記模擬結露検出部の前記検出面の結露状態を検出して検出結果をシステムの外部に出力する結露状態検出手段と、を備え、
前記温度調節制御手段は、前記非接触温度検出手段から入力した検出結果と前記温度検出手段から入力した検出結果とに基づいて、前記非接触温度検出手段により検出された前記電気機器の前記絶縁部表面の温度と前記温度検出手段により検出された前記模擬結露検出部の前記検出面の温度とが同一となるように前記放熱吸熱手段の前記模擬結露検出部の前記検出面に対する放熱及び吸熱を調節する、ところに特徴を有する。
【０００９】
上記した構成によれば、結露状態の検出対象である電気機器の絶縁部表面の温度が非接触温度検出手段により非接触で検出され、電気機器と同一の環境下に配置された模擬結露検出部の検出面の温度が温度検出手段により検出されると、それら非接触温度検出手段により検出された電気機器の絶縁部表面の温度と温度検出手段により検出された模擬結露検出部の検出面の温度とが同一となるように放熱吸熱手段の模擬結露検出部の検出面に対する放熱及び吸熱が温度調節制御手段により調節されるので、電気機器の絶縁部表面の結露状態を模擬結露検出部の検出面で再現することができる。
【発明の効果】
【００１０】
請求項１に記載した結露状態検出システムによれば、結露状態の検出対象である電気機器の絶縁部表面の温度を非接触で検出する非接触温度検出手段が設けられると共に、電気機器と同一の環境下に模擬結露検出部が設けられ、電気機器の絶縁部表面の結露状態を模擬結露検出部の検出面で再現するように構成したので、模擬結露検出部の検出面の結露状態を検出した検出結果をシステムの外部に出力することで、電気機器の絶縁部表面の結露状態を模擬的に検出した検出結果をシステムの外部に出力することができ、その検出結果を解析することで、電気機器の絶縁部表面の結露状態を検出することができる。この場合、結露状態の検出対象である電気機器の絶縁部表面の温度を非接触温度検出手段により非接触で検出するように構成したので、電気機器の絶縁部表面に温度検出手段を直接配置する必要がなく、電気機器の絶縁部表面の結露状態を安全に且つ正確に検出することができる。
【図面の簡単な説明】
【００１１】
【図１】本発明の第１の実施形態を示す機能ブロック図
【図２】全体構成を概略的に示す図
【図３】模擬結露検出部を概略的に示す図
【図４】温度調節制御処理を表すフローチャート
【図５】結露防止制御処理を表すフローチャート
【図６】本発明の第２の実施形態を示す機能ブロック図
【図７】本発明の第３の実施形態を示す機能ブロック図
【図８】本発明の第４の実施形態を示す機能ブロック図
【発明を実施するための形態】
【００１２】
（第１の実施形態）
以下、本発明を、結露状態の検出対象である電気機器として変圧器を適用した第１の実施形態について図１乃至図５を参照しながら説明する。図２に示すように、結露状態検出システム１においては、変圧器２（本発明でいう電気機器）の近傍には当該変圧器２の絶縁部表面２ａ（図１参照）の温度を非接触で検出する赤外線温度センサ３（本発明でいう非接触温度検出手段）及び模擬結露検出部４が設けられていると共に、変圧器２の絶縁部表面２ａに対して放熱可能な位置にはスペースヒータ５（本発明でいう結露防止手段）が設けられている。模擬結露検出部４は変圧器２と同一の環境下（汚損状態、特に海塩粒子や塩化物等の潮解性が著しい物質を含んだ汚損物質の付着状態が同程度となる環境下）に配置されている。
【００１３】
模擬結露検出部４は、図３に示すように、ペルチェ素子６（本発明でいう放熱吸熱手段）、結露センサ７（本発明でいう結露状態検出手段）、温度センサ８（本発明でいう温度検出手段）及び湿度センサ９（本発明でいう湿度検出手段）が組み合わされて構成されている。この場合、温度センサ８及び湿度センサ９は結露センサ７の筐体の一方側（図３（ｂ）では左側）の表面７ａに直接実装されていると共に、ペルチェ素子６は結露センサ７の筐体の他方側（図３（ｂ）では右側）の表面７ｂに直接実装されている。即ち、温度センサ８及び湿度センサ９とペルチェ素子６との間に結露センサ７が挟まれる態様とされている。
【００１４】
結露センサ７は、温度センサ８及び湿度センサ９が実装されている表面７ａに櫛歯状の一対の電極１０、１１が形成されており、それら電極１０、１１間の電気抵抗値と閾値とを比較することで表面７ａの結露状態（結露が発生した旨及び解消した旨の何れか）を検出する。即ち、温度センサ８及び湿度センサ９が実装されている結露センサ７の表面７ａが模擬結露検出部４の検出面４ａ（図１参照）とされている。
【００１５】
上記した構成では、模擬結露検出部４の検出面４ａの熱伝導特性は結露状態の検出対象である変圧器２の絶縁部表面２ａの熱伝導特性と同程度であることが望ましい。即ち、変圧器２ではその内部に搭載されている熱源から発生された熱が絶縁部表面２ａまで伝導され、模擬結露検出部４ではペルチェ素子６から発生された熱が表面７ｂから表面７ａまで伝導されるが、それら変圧器２における熱源から絶縁部表面２ａまでの熱伝導の態様と模擬結露検出部４における表面７ｂから表面７ａまでの熱伝導の態様とが同一であるほど、変圧器２における熱源から絶縁部表面２ａまでの熱伝導の態様を模擬結露検出部４における表面７ｂから表面７ａまでの熱伝導の態様で再現することが可能である。尚、本実施形態では、上記したようにペルチェ素子６が結露センサ７に直接実装されている構成を説明したが、ペルチェ素子６が部材を介して結露センサ７に実装されている構成であっても良く、その場合も、ペルチェ素子６から結露センサ７への部材を介した熱伝導特性は変圧器２の絶縁部表面２ａの熱伝導特性と同程度であることが望ましい。
【００１６】
図１は上記した結露状態検出システム１の電気的な構成を機能ブロック図により示している。上記した赤外線温度センサ３、ペルチェ素子６、結露センサ７、温度センサ８、湿度センサ９及びスペースヒータ５は、マイクロコンピュータを主体としてなる制御装置１２（本発明でいう温度調節制御手段、結露防止制御手段）に接続されている。制御装置１２は、内部に記憶している制御プログラムを実行することで結露状態検出システム１のシステム全体の動作を制御する。
【００１７】
赤外線温度センサ３は、変圧器２の絶縁部表面２ａから放射される赤外線を集光することで、変圧器２の絶縁部表面２ａの温度を非接触で検出（計測）し、その検出した温度を表す非接触温度検出信号を制御装置１２に出力する。ペルチェ素子６は、制御装置１２から放熱指令信号を入力すると、放熱（加熱）を行い、吸熱指令信号を入力すると、吸熱（冷却）を行う。
【００１８】
結露センサ７は、上記した手順にしたがって模擬結露検出部４の検出面４ａの結露状態を検出し、その検出結果を表す結露状態検出信号を制御装置１２に出力すると共に結露状態検出システム１の外部に出力する。温度センサ８は、模擬結露検出部４の検出面４ａの温度を検出（計測）し、その検出した温度を表す温度検出信号を制御装置１２に出力すると共に結露状態検出システム１の外部に出力する。湿度センサ９は、模擬結露検出部４の検出面４ａの湿度を検出（計測）し、その検出した湿度を表す湿度検出信号を制御装置１２に出力すると共に結露状態検出システム１の外部に出力する。
【００１９】
制御装置１２は、模擬結露検出部４の検出面４ａに対する温度調節を行う機能ブロックである温度調節制御部１２ａと、変圧器２の絶縁部表面２ａに対する結露防止を行う機能ブロックである結露防止制御部１２ｂとを有する。制御装置１２は、温度調節制御部１２ａにおいて、赤外線温度センサ３から非接触温度検出信号を入力すると共に温度センサ８から温度検出信号を入力すると、非接触温度検出信号を解析することで変圧器２の絶縁部表面２ａの温度を取得し、温度検出信号を解析することで模擬結露検出部４の検出面４ａの温度を取得し、それら変圧器２の絶縁部表面２ａの温度と模擬結露検出部４の検出面４ａの温度とを比較する。そして、制御装置１２は、それら変圧器２の絶縁部表面２ａの温度と模擬結露検出部４の検出面４ａの温度とが同一となるように放熱指令信号及び吸熱指令信号のうち何れかをペルチェ素子６に選択的に出力する。
【００２０】
又、制御装置１２は、結露防止制御部１２ｂにおいて、結露センサ７から結露状態検出信号を入力すると、結露状態検出信号を解析することで模擬結露検出部４の検出面４ａの結露状態を取得し、湿度センサ９から湿度検出信号を入力すると、湿度検出信号を解析することで模擬結露検出部４の検出面４ａの湿度を取得する。スペースヒータ５は、制御装置１２から起動指令信号を入力すると、変圧器２の絶縁部表面２ａに対する放熱を開始し、制御装置１２から停止指令信号を入力すると、変圧器２の絶縁部表面２ａに対する放熱を終了する。
【００２１】
次に、上記した構成の作用について、図４及び図５を参照して説明する。制御装置１２は、本発明に関連する制御として、模擬結露検出部４の検出面４ａに対する温度調節を行うための温度調節制御処理と、変圧器２の絶縁部表面２ａに対する結露防止を行うための結露防止制御処理とを行う。本実施形態では制御装置１２がマルチタスク機能を有することで温度調節制御処理と結露防止制御処理とを同時に並行して実行することを前提として説明する。尚、制御装置１２がマルチタスク機能を有しなければ、これら温度調節制御処理と結露防止制御処理とを所定周期（例えば数マイクロ秒周期）で交互に実行するようにしても良い。
【００２２】
（１）温度調節制御処理
制御装置１２は、温度調節制御処理では、赤外線温度センサ３から入力した非接触温度検出信号を解析し、赤外線温度センサ３により検出された変圧器２の絶縁部表面２ａの温度を取得し（ステップＳ１）、温度センサ８から入力した温度検出信号を解析し、温度センサ８により検出された模擬結露検出部４の検出面４ａの温度を取得し（ステップＳ２）、それら取得した変圧器２の絶縁部表面２ａの温度と模擬結露検出部４の検出面４ａの温度とを比較する（ステップＳ３、Ｓ４）。
【００２３】
そして、制御装置１２は、変圧器２の絶縁部表面２ａの温度が模擬結露検出部４の検出面４ａの温度よりも低いと判定すると（ステップＳ３にて「ＹＥＳ」）、放熱指令信号をペルチェ素子６に出力し、ペルチェ素子６に放熱を行わせ、模擬結露検出部４の検出面４ａの温度を上昇させ（ステップＳ５）、上記したステップＳ１に戻る。又、制御装置１２は、変圧器２の絶縁部表面２ａの温度が模擬結露検出部４の検出面４ａの温度よりも高いと判定すると（ステップＳ４にて「ＹＥＳ」）、吸熱指令信号をペルチェ素子６に出力し、ペルチェ素子６に吸熱を行わせ、模擬結露検出部４の検出面４ａの温度を下降させ（ステップＳ６）、上記したステップＳ１に戻る。
【００２４】
一方、制御装置１２は、変圧器２の絶縁部表面２ａの温度が模擬結露検出部４の検出面４ａの温度よりも低くもなく高くもない（同じである）と判定すると（ステップＳ３にて「ＮＯ」、Ｓ４にて「ＮＯ」）、放熱指令信号及び吸熱指令信号の何れをもペルチェ素子６に出力することなく、模擬結露検出部４の検出面４ａの温度を維持し（ステップＳ７）、上記したステップＳ１に戻る。
【００２５】
即ち、制御装置１２は、上記した一連の処理を行うことで、変圧器２の絶縁部表面２ａの温度と模擬結露検出部４の検出面４ａの温度とが同一となるように模擬結露検出部４の検出面４ａを調節する。
【００２６】
（２）結露防止制御処理
制御装置１２は、結露防止制御処理では、後述するようにスペースヒータ５の動作制御の判定基準となる結露発生湿度を例えば１００［％］に設定することで初期化する（ステップＳ１１）。次いで、制御装置１２は、湿度センサ９から入力した湿度検出信号を解析し、温度センサ９により検出された模擬結露検出部４の検出面４ａの湿度を取得し（ステップＳ１２）、結露センサ７から入力した結露状態検出信号を解析し、模擬結露検出部４の検出面４ａの結露状態（結露が発生した旨及び解消した旨の何れか）を取得し（ステップＳ１３）、模擬結露検出部４の結露状態を判定する（ステップＳ１４）。
【００２７】
ここで、制御装置１２は、模擬結露検出部４の検出面４ａに結露が発生したと判定すると（ステップＳ１４にて「ＹＥＳ」）、その直前に取得した模擬結露検出部４の検出面４ａの湿度と結露発生湿度とを比較する（ステップＳ１５）。そして、制御装置１２は、その直前に取得した模擬結露検出部４の検出面４ａの湿度が結露発生湿度未満であると判定すると（ステップＳ１５にて「ＹＥＳ」）、その直前に取得した模擬結露検出部４の検出面４ａの湿度を最新の結露発生湿度として更新（新たに設定）して記憶し（ステップＳ１６）、起動指令信号をスペースヒータ５に出力し、スペースヒータ５を起動させ、変圧器２の絶縁部表面２ａに対する放熱を行わせ（ステップＳ１７）、上記したステップＳ１２に戻る。
【００２８】
一方、制御装置１２は、その直前に取得した模擬結露検出部４の検出面４ａの湿度が結露発生湿度未満でないと判定すると（ステップＳ１５にて「ＮＯ」）、その直前に取得した模擬結露検出部４の検出面４ａの湿度を最新の結露発生湿度として更新することなく、起動指令信号をスペースヒータ５に出力し、スペースヒータ５を起動させ、変圧器２の絶縁部表面２ａに対する放熱を行わせ（ステップＳ１７）、上記したステップＳ１２に戻る。
【００２９】
又、制御装置１２は、模擬結露検出部４の検出面４ａに結露が発生していない（発生した結露が解消した）と判定すると（ステップＳ１４にて「ＮＯ」）、この場合も、その直前に取得した模擬結露検出部４の検出面４ａの湿度と結露発生湿度とを比較する（ステップＳ１８）。そして、制御装置１２は、その直前に取得した模擬結露検出部４の検出面４ａの湿度が結露発生湿度以上であると判定すると（ステップＳ１８にて「ＹＥＳ」）、起動指令信号をスペースヒータ５に出力し、スペースヒータ５を起動させ、変圧器２の絶縁部表面２ａに対する放熱を行わせ（ステップＳ１７）、上記したステップＳ１２に戻る。一方、制御装置１２は、その直前に取得した模擬結露検出部４の検出面４ａの湿度が結露発生湿度以上でないと判定すると（ステップＳ１８にて「ＮＯ」）、停止指令信号をスペースヒータ５に出力し、スペースヒータ５を停止させ、変圧器２の絶縁部表面２ａに対する放熱を行わせることなく（ステップＳ１９）、上記したステップＳ１２に戻る。
【００３０】
以上に説明したように第１の実施形態によれば、結露状態検出システム１において、結露状態の検出対象である変圧器２の絶縁部表面２ａの温度を非接触で検出する赤外線温度センサ３が設けられると共に、変圧器２と同一の環境下に模擬結露検出部４が配置され、赤外線温度センサ３により検出された変圧器２の絶縁部表面２ａの温度と温度センサ８により検出された模擬結露検出部４の検出面４ａの温度とが同一となるようにペルチェ素子６の模擬結露検出部４の検出面４ａに対する放熱及び吸熱が調節されるように構成したので、変圧器２の絶縁部表面２ａの結露状態を模擬結露検出部４の検出面４ａで再現することができる。そして、模擬結露検出部４の検出面４ａの結露状態を検出した検出結果をシステムの外部に出力することで、変圧器２の絶縁部表面２ａの結露状態を模擬的に検出した検出結果をシステムの外部に出力することができ、その検出結果を解析することで、変圧器２の絶縁部表面２ａの結露状態を安全に且つ正確に検出することができる。
【００３１】
又、この場合は、温度センサ８により検出した検出結果や湿度センサ９により検出した検出結果をもシステムの外部に出力することで、変圧器２の絶縁部表面２ａの結露状態と温度や湿度とを関連付けて解析することができる。
【００３２】
又、この場合は、結露発生湿度を逐一更新して記憶し、模擬結露検出部４の検出面４ａに結露が発生していないと判定した場合には、湿度センサ９により検出された湿度が結露発生湿度以上であれば、変圧器２の絶縁部表面２ａに対する放熱を行わせ、湿度センサ９により検出された湿度が結露発生湿度以上でなければ、変圧器２の絶縁部表面２ａに対する放熱を行わせないように構成したので、結露が一旦発生した後には次に結露が発生することを未然に防止することができる。
【００３３】
即ち、結露状態の検出対象である変圧器２の絶縁部表面２ａ及び当該変圧器２と同一の環境下に配置された模擬結露検出部４の検出面４ａにおいては、周囲環境が著しく汚損された状態、特に海塩粒子や塩化物等の潮解性が著しい物質を含んだ汚損物質が絶縁部表面に付着した状態では、通常結露が発生すると言われる相対湿度が１００［％］以下であっても結露が発生する場合があるが、第１の実施形態のように、結露発生湿度を記憶し、その記憶した結露発生湿度を判定基準としてスペースヒータ５の動作を制御することで、結露が発生することを未然に防止することができる。又、結露発生湿度を逐一更新し、その逐一更新した結露発生湿度を判定基準としてスペースヒータ５の動作を制御することで、例えば汚損状態が厳しくなって結露発生湿度が低下した場合においても、結露が発生することを未然に防止することができる。
【００３４】
（第２の実施形態）
次に、本発明の第２の実施形態について、図６を参照して説明する。第２の実施形態の結露状態検出システム２１は、上記した第１の実施形態で説明した結露状態検出システム１からスペースヒータ５、湿度センサ９及び結露防止制御部１２ｂが省略された構成である。第２の実施形態によれば、上記した第１の実施形態と同様の作用効果を得ることができる。即ち、赤外線温度センサ３により検出された変圧器２の絶縁部表面２ａの温度と温度センサ８により検出された模擬結露検出部４の検出面４ａの温度とが同一となるようにペルチェ素子６の模擬結露検出部４の検出面４ａに対する放熱及び吸熱が調節されるように構成したので、変圧器２の絶縁部表面２ａの結露状態を模擬結露検出部４の検出面４ａで再現することができ、変圧器２の絶縁部表面２ａの結露状態を安全に且つ正確に検出することができる。
【００３５】
（第３の実施形態）
次に、本発明の第３の実施形態について、図７を参照して説明する。第３の実施形態の結露状態検出システム３１は、上記した第１の実施形態で説明した結露状態検出システム１からスペースヒータ５及び結露防止制御部１２ｂが省略された構成である。第３の実施形態によれば、上記した第１の実施形態と同様の作用効果を得ることができる。即ち、赤外線温度センサ３により検出された変圧器２の絶縁部表面２ａの温度と温度センサ８により検出された模擬結露検出部４の検出面４ａの温度とが同一となるようにペルチェ素子６の模擬結露検出部４の検出面４ａに対する放熱及び吸熱が調節されるように構成したので、変圧器２の絶縁部表面２ａの結露状態を模擬結露検出部４の検出面４ａで再現することができ、変圧器２の絶縁部表面２ａの結露状態を安全に且つ正確に検出することができる。又、この場合も、変圧器２の絶縁部表面２ａの結露状態と温度や湿度とを関連付けて解析することができる。
【００３６】
（第４の実施形態）
次に、本発明の第４の実施形態について、図８を参照して説明する。第３の実施形態の結露状態検出システム４１は、上記した第１の実施形態で説明した結露状態検出システム１から湿度センサ９が省略されると共に結露防止制御部１２ｂに代えて結露解消制御部が設けられた構成である。即ち、制御装置４２（本発明でいう温度調節制御手段、結露解消制御手段）は、模擬結露検出部４の検出面４ａに対する温度調節を行う機能ブロックである温度調節制御部４２ａと、変圧器２の絶縁部表面２ａに発生した結露の解消を行う機能ブロックである結露解消制御部４２ｂとを有する。この場合、制御装置４２は、結露センサ７から結露状態検出信号を入力し、模擬結露検出部４の検出面４ａに結露が発生したと判定すると、起動指令信号をスペースヒータ４３（本発明でいう結露解消手段）に出力し、スペースヒータ４３を起動させ、変圧器２の絶縁部表面２ａに対する放熱を開始させ、模擬結露検出部４の検出面４ａに発生した結露が解消したと判定すると、停止指令信号をスペースヒータ４３に出力し、スペースヒータ４３を停止させ、変圧器２の絶縁部表面２ａに対する放熱を終了させる。
【００３７】
第４の実施形態によれば、上記した第１の実施形態と同様の作用効果を得ることができる。即ち、赤外線温度センサ３により検出された変圧器２の絶縁部表面２ａの温度と温度センサ８により検出された模擬結露検出部４の検出面４ａの温度とが同一となるようにペルチェ素子６の模擬結露検出部４の検出面４ａに対する放熱及び吸熱が調節されるように構成したので、変圧器２の絶縁部表面２ａの結露状態を模擬結露検出部４の検出面４ａで再現することができ、変圧器２の絶縁部表面２ａの結露状態を安全に且つ正確に検出することができる。又、この場合は、模擬結露検出部４の検出面４ａに結露が発生したか否かに基づいてスペースヒータ４３の動作を制御することで、変圧器２の絶縁部表面２ａに発生した結露を解消することができる。
【００３８】
（その他の実施形態）
本発明は、上記した実施形態にのみ限定されるものではなく、以下のように変形又は拡張することができる。
結露状態の検出対象である電気機器は変圧器に限らず電動機等の他の機器であっても良い。
第１の実施形態において、結露が発生した時点での湿度を結露発生湿度として逐一更新して記憶することに加え、発生した結露が解消した時点での湿度を結露解消湿度として逐一更新して記憶し、その逐一更新した結露解消湿度をも判定基準としてスペースヒータ５の動作を制御するようにしても良い。又、湿度センサ９により検出された湿度に加え、温度センサ８により検出された温度をも判定基準とし、結露発生温度や結露解消温度を逐一更新して記憶し、スペースヒータ５の動作を制御するようにしても良い。
【符号の説明】
【００３９】
図面中、１は結露状態検出システム、２は変圧器（電気機器）、３は赤外線温度センサ（非接触温度検出手段）、４は模擬結露検出部、４ａは検出面、５はスペースヒータ（結露防止手段）、６はペルチェ素子（放熱吸熱手段）、７は結露センサ（結露状態検出手段）、８は温度センサ（温度検出手段）、９は湿度センサ（湿度検出手段）、１２は制御装置（温度調節制御手段、結露防止制御手段）、２１は結露状態検出システム、３１は結露状態検出システム、４１は結露状態検出システム、４２は制御装置（温度調節制御手段、結露解消制御手段）、４３はスペースヒータ（結露解消手段）である。
【図１】
2011041437.tif 000003
【図２】
2011041437.tif 000004
【図３】
2011041437.tif 000005
【図４】
2011041437.tif 000006
【図５】
2011041437.tif 000007
【図６】
2011041437.tif 000008
【図７】
2011041437.tif 000009
【図８】
2011041437.tif 000010